(57)【特許請求の範囲】
【請求項１】
動きセンサを備えた端末機がサーバに保存された再生可能なメディアを受信して上記端末機の動きによってメディアを再生する方法において、
［ａ］上記端末機が上記サーバに、上記端末機のメモリ容量に基づいて、第１受信領域の送信要請を行い、上記サーバが上記端末機からの第１受信領域の送信要請を受けて、上記メディアの一部分を第１受信領域と設定し、当該第１受信領域のメディアを上記端末機に送信する段階；
［ｂ］上記端末機にて、上記第１受信領域のメディアを受信し、当該第１受信領域のメディアの範囲内で、上記メディアの再生領域を再生する途中で上記端末機の動きに[よって]対応する方向に変更し、上記再生領域に該当する上記第１受信領域の範囲内のメディアを再生する段階；及び、
［ｃ］上記再生領域が上記メディアの第１受信領域の範囲の外であれば、上記端末機は上記サーバに、新たな再生領域および上記端末機の余裕メモリに基づいて、第２受信領域の送信を要請し、上記サーバは前記第２受信領域の送信要請を受けて、上記メディアの一部分が上記再生領域を含むように第２受信領域を設定して、当該第２受信領域のメディアを上記端末機に送信し、上記端末機は上記第２受信領域のメディアを受信して、当該第２受信領域の範囲内のメディア内で上記端末機の動きに対応する再生領域の上記メディアを再生する段階；を含むことを特徴とする端末機の動きによってメディアを再生する方法。
【請求項２】
上記段階［ａ］は、上記サーバが、上記端末機から受信した上記端末機のメモリ内に格納されたメディアに関するメモリ情報を基に上記第１受信領域を設定し、上記第１受信領域のメディアを上記端末機に送信する段階であることを特徴とする請求項１に記載の端末機の動きによってメディアを再生する方法。
【請求項３】
上記段階［ａ］は、上記サーバが、上記端末機で上記メディアが再生された履歴がある場合、最近上記端末機で再生された領域情報である最近再生領域情報を上記端末機から受信して上記最近再生領域情報を基に上記第１受信領域を設定し、上記第１受信領域のメディアを上記端末機に送信する段階であることを特徴とする請求項１に記載の端末機の動きによってメディアを再生する方法。
【請求項４】
上記メディアは、上記メディアの再生領域を移動して変更できるようにする基準軸として、上記メディアの再生可能な領域である再生可能領域を定義する再生基準軸を１以上含むメディアであり、
上記段階［ｂ］は、上記再生基準軸の方向に対応する上記端末機の動きを探知し、上記端末機の動きによって上記メディアの再生領域を移動して変更し、上記再生領域のメディアを再生する段階であることを特徴とする請求項１に記載の端末機の動きによってメディアを再生する方法。
【請求項５】
上記第２受信領域は、上記端末機のメモリに格納されたメディアに関するメモリ情報を基盤にして設定され、上記再生領域を含むように設定されることを特徴とする請求項１に記載の端末機の動きによってメディアを再生する方法。
【請求項６】
上記メディアは、３次元の立体情報を有するメディアであり、上記再生基準軸は、ｘ軸上の移動方向基準のｘ軸、ｙ軸上の移動方向基準のｙ軸、及びｚ軸上の移動方向基準のｚ軸を含むことを特徴とする請求項４に記載の端末機の動きによってメディアを再生する方法。
【請求項７】
上記メディアは、２次元の立体情報を有するメディアであり、上記再生基準軸は、ｘ軸上の移動方向基準のｘ軸、ｙ軸上の移動方向基準のｙ軸、及び上記メディアの拡大再生の比率を示すｚ軸を含むことを特徴とする請求項４に記載の端末機の動きによってメディアを再生する方法。
【請求項８】
動きセンサを備えた端末機がサーバに保存された再生可能なメディアを受信して上記端末機の動きによってメディアを再生するシステムにおいて、
上記端末が上記サーバに、上記端末機のメモリ容量に基づいて、第１受信領域の送信要請を行い、
上記サーバは、上記端末機の第１受信領域の送信要請を受け、上記メディアの一部分の領域を第１受信領域と設定して、当該第１受信領域のメディアを、上記端末機に転送し、
上記端末機は、上記サーバから上記第１受信領域のメディアを受信し、当該第１受信領域のメディアの範囲内で上記メディアの再生領域を再生する途中で、上記端末機の動きに[よって]対応する方向に変更して上記再生領域に該当する上記第１受信領域の範囲内のメディアを再生し、上記再生領域が上記メディアの第１受信領域の範囲の外であれば、第２受信領域の送信要請を、新たな再生領域及び上記端末の余裕メモリに基づいて、上記サーバに行い、上記サーバから当該第２受信領域のメディアを受信して、当該第２受信領域の範囲内で上記メディアを再生することを特徴とする端末機の動きによってメディアを再生するシステム。
【請求項９】
上記サーバは、上記端末機のメモリ内のメディアに関するメモリ情報を基に上記第１受信領域を設定し、上記第１受信領域のメディアを上記端末機に送信することを特徴とする請求項８に記載の端末機の動きによってメディアを再生するシステム。
【請求項１０】
上記サーバは、上記メディアが上記端末機で再生された履歴がある場合、最近上記端末機で再生された領域情報である最近再生領域情報を上記端末機から受信して上記最近再生領域情報を基に上記第１受信領域を設定し、上記第１受信領域のメディアを上記端末機に送信することを特徴とする請求項８に記載の端末機の動きによってメディアを再生するシステム。
【請求項１１】
上記第２受信領域は、上記端末機のメモリ内に格納されたメディアに関するメモリ情報を基盤にして設定され、上記再生領域を含むように設定されることを特徴とする請求項８に記載の端末機の動きによってメディアを再生するシステム。
【請求項１２】
上記メディアは、上記メディアの再生領域を移動して変更できるようにする基準軸として、メディアの再生可能な領域である再生可能領域を定義する再生基準軸を１以上含むメディアであり、
上記端末機は、上記再生基準軸の方向に対応する上記端末機の動きを探知し、上記端末機の動きによって上記メディアの再生領域を移動して変更し、上記メディアを再生することを特徴とする請求項８に記載の端末機の動きによってメディアを再生するシステム。
【請求項１３】
上記メディアは、３次元の立体情報を有するメディアであり、上記再生基準軸は、ｘ軸上の移動方向基準のｘ軸、ｙ軸上の移動方向基準のｙ軸、及びｚ軸上の移動方向基準のｚ軸を含むことを特徴とする請求項１２に記載の端末機の動きによってメディアを再生するシステム。
【請求項１４】
上記メディアは、２次元の立体情報を有するメディアであり、上記再生基準軸は、ｘ軸上の移動方向基準のｘ軸、ｙ軸上の移動方向基準のｙ軸、及び上記メディアの拡大再生の比率を示すｚ軸を含むことを特徴とする請求項１２に記載の端末機の動きによってメディアを再生するシステム。
【請求項１５】
上記端末機は、
使用者の入力を受ける使用者入力部；
上記端末機の動きを探知する動作感知部；
上記再生領域に該当するメディアを再生する再生部；
上記入力された使用者入力及び上記探知された端末機の動きを基盤として上記メディアの再生領域を移動して変更し、上記再生領域に該当する上記メディアを上記再生部に再生させる制御部；
上記受信領域のメディアを保存する保存部；及び、
上記サーバに上記受信領域の送信要請を送信し、上記サーバから受信領域のメディアを受信する通信部；を含むことを特徴とする請求項８に記載の端末機の動きによってメディアを再生するシステム。
【請求項１６】
上記サーバは、
上記メディアを保存しているメディアデータベース部；
上記端末機の上記受信領域の送信要請に対応して上記メディアデータベース部のメディアから受信領域を設定する受信領域設定部；及び、
上記端末機の第１受信領域又は第２受信領域の送信要請を受信し、当該第１受信領域又は第２受信領域に応じて設定された受信領域のメディアを上記端末機に転送する通信部；を含むことを特徴とする請求項８に記載の端末機の動きによってメディアを再生するシステム。
【請求項１７】
再生可能なメディアを保存し、上記メディアを端末機に転送するサーバにおいて、
上記端末が上記サーバに、当該端末のメモリ容量に基づいて、第１受信領域の送信要請を行い、
サーバが上記端末機の第１受信領域の送信要請を受けて、上記端末機のメモリ情報を基盤に上記メディアの一部領域を第１受信領域と設定して上記端末機に第１受信領域のメディアを送信し、
上記端末の再生領域が第１受信領域の外部となる場合に、上記端末が上記サーバに、新たな再生領域及び上記端末の余裕メモリに基づいて、第２受信領域の送信要請を行い、
上記サーバは、上記端末機の第２受信領域の送信要請を受け、上記端末機の上記メディアの再生領域情報及び上記端末機のメモリ情報を基盤に上記メディアの一部分を第２受信領域と設定して、上記端末機に上記第２受信領域のメディアを送信することを特徴とする再生可能なメディアを端末機に転送するサーバ。
【請求項１８】
上記メディアは、上記メディアの再生領域を移動して変更できるようにする基準軸として、メディアの再生可能な領域である再生可能領域を定義する再生基準軸を１以上含むことを特徴とする請求項１７に記載の再生可能なメディアを端末機に転送するサーバ。
【請求項１９】
上記メディアは、３次元の立体情報を有するメディアであり、上記再生基準軸は、ｘ軸上の移動方向基準のｘ軸、ｙ軸上の移動方向基準のｙ軸、及びｚ軸上の移動方向基準のｚ軸を含むことを特徴とする請求項１８に記載の再生可能なメディアを端末機に転送するサーバ。
【請求項２０】
上記メディアは、２次元の立体情報を有するメディアであり、上記再生基準軸は、ｘ軸上の移動方向基準のｘ軸、ｙ軸上の移動方向基準のｙ軸、及び上記メディアの拡大再生の比率を示すｚ軸を含むことを特徴とする請求項１８に記載の再生可能なメディアを端末機に転送するサーバ。
【請求項２１】
上記サーバは、
上記メディアを保存しているメディアデータベース部；
上記端末機の上記受信領域の送信要請に対応して上記端末機のメモリ情報を基盤に上記受信領域を設定する設定部；及び、
上記端末機から受信領域の送信要請及び上記端末機のメモリ情報を受信し、上記受信領域のメディアを上記端末機に送信する通信部；を含むことを特徴とする請求項１７に記載の再生可能なメディアを端末機に転送するサーバ。
【発明の詳細な説明】
【技術分野】
【０００１】
本発明は、動きセンサ（ｍｏｔｉｏｎ  ｓｅｎｓｏｒ）を内蔵した通信機能搭載の端末機を利用してサーバに保存されたメディアを再生する場合に、上記サーバに保存されたメディアの転送を受けて上記端末機にて上記メディアを再生する方法などに関する。
即ち、動きセンサを内蔵した、メディアの再生が可能な端末機において、上記動きセンサによって感知された動きに対応する該当メディアの転送をサーバより受けて再生する場合に、サーバに保存されたメディアの全部を端末機に転送せず、一部だけをまず転送して、上記端末機にて上記転送を受けた分量のみ再生し、再生の途中で再生領域の変動によって残りの分量も必要となったと判断された場合に限って、残りの分量も上記サーバから転送を受けて再生する技術分野に関する。
【背景技術】
【０００２】
サーバに保存されたメディアをダウンロードして端末機で再生する従来の技術としては、上記保存されたメディアの全部をダウンロードした後に端末機で再生を行うものと、ストリーミング方式によってメディアを再生するものがある。
【０００３】
このうち、端末機の通信負担又は保存容量負担の軽減を考慮して、ストリーミング方式がよく使用される。
【０００４】
最近、インターネット技術が発展して広く普及されるとともに、インターネットを通した各種マルチメディア情報の共有が一層盛んになされている。ストリーミング（Ｓｔｒｅａｍｉｎｇ）とは、大容量のデータを一定のサイズの断片に分け、これをサーバから使用者のコンピュータに転送する方式である。音声や映像などのマルチメディアファイルは、一般的なテキストファイルとは違って大容量であるため、情報の受信が完了するまでは長時間がかかる。既存のダウンロード方式は、一つのファイルが全部転送されてからこそそれを見ることができた反面、ストリーミング方式は、全体ファイルの一定量さえ転送されれば直ちに該当ファイルを見ることができ、その一部を見ている間に残りの部分が継続的に転送されて来る方式である。ストリーミングを利用する場合、情報を見るための待機時間を短縮することができ、多量の映像及び音声情報を提供するインターネット放送で広く使われている。
【０００５】
ストリーミング方式においては、リアルネットワーク社のリアルメディアとマイクロソフト社のウィンドウズメディアテクノロジー技術が最も代表的に利用されている。ストリーミングファイルをウェブ上で見ようとする場合、使用者のコンピュータにリアルプレーヤやウィンドウズメディアプレーヤなどのプログラムが設置されていなければならない。リアルメディアでは、ストリーミングファイル形式のＲＭ（＊．ｒｍ）及びメタファイル形式のＲＡＭ（＊．ｒａｍ）を使用し、ウィンドウズメディアでは、メディアファイル形式のＷＭＡ（＊．ｗｍａ）、ＷＭＶ（＊．ｗｍｖ）、ＡＳＦ（＊．ａｓｆ）、及びメタファイル形式のＡＳＸ（＊．ａｓｘ）などを使用している。
【０００６】
しかし、かかるストリーミング方式も、依然として端末機の通信負担の画期的な軽減は実現できておらず、通信チャンネルの占有も継続しなければならないという問題点があった。
【発明の概要】
【発明が解決しようとする課題】
【０００７】
サーバに保存されたメディアを全部ダウンロードした後に端末機で再生を行う場合は、全部をダウンロードするのに必要な時間、端末保存容量及び通信チャンネル容量の浪費が発生する。
【０００８】
サーバに保存されたメディアの転送をストリーミング方式で受け、これを端末機にてリアルタイムで再生する場合には、通信チャンネルの容量を継続的に占有しなければならず、且つ使用者に不要な部分まで転送されるという問題点が発生する。
【０００９】
従って、本発明の目的は、端末機の保存容量及び通信チャンネルの容量を節約し、通信チャンネルの効率的な活用を可能にする方法などを提供することにある。
【００１０】
即ち、本発明の目的は、動きセンサを備えた端末機がサーバに保存された再生可能なメディアを受信して再生する方法において、［ａ］上記サーバが、上記メディアの一部分である第１受信領域を設定して、上記端末機に送信する段階；［ｂ］上記端末機の動きによって上記メディアの再生領域を変更して、上記メディアの一部を再生する段階；及び、［ｃ］上記再生領域が上記メディアの第１受信領域の外であれば、上記再生領域を含む上記メディアの一部分である第２受信領域を上記端末機が上記サーバから受信して、上記メディアを再生する段階；を含むことを特徴とする端末機の動きによってメディアを再生する方法などを提供することにある。
【課題を解決するための手段】
【００１１】
上記目的を達成するための本発明の第１観点による端末機の動きによってメディアを再生する方法は、動きセンサを備えた端末機がサーバに保存された再生可能なメディアを受信して上記端末機の動きによってメディアを再生する方法において、［ａ］上記サーバが上記メディアの一部分を第１受信領域と設定して上記端末機に送信する段階；［ｂ］上記端末機にて、上記メディアの再生領域を上記端末機の動きによって変更し、上記再生領域に該当するメディアを再生する段階；及び、［ｃ］上記再生領域が上記メディアの第１受信領域の外であれば、上記端末機は上記サーバに第２受信領域を要請し、上記サーバは上記メディアの一部分が上記再生領域を含むように第２受信領域を設定して上記端末機に提供し、上記端末機は上記第２受信領域を受信して上記メディアを再生する段階；を含むことを特徴とする。
【００１２】
望ましくは、上記段階［ａ］は、上記サーバが上記端末機から受信した上記端末機のメモリ情報を基に上記第１受信領域を設定し、上記第１受信領域を上記端末機に送信する段階であることを特徴とすることができる。
【００１３】
また、上記メディアの再生が上記端末機で初めて行われる場合は、使用者設定値に従って上記メディアの所定位置を基盤に第１受信領域を設定することができる。さらに、上記メディアの再生が、上記端末機で再生された履歴のある場合ならば、上記使用者設定値又は上記メディアの上記端末機での最近再生履歴を基盤に第１受信領域を設定することができる。即ち、上記端末機が最近再生した上記メディアの領域情報である最近再生領域位置情報を、上記端末機が上記サーバに転送し、上記サーバは上記最近再生領域を含むように第１受信領域を設定することができる。
【００１４】
より望ましくは、上記メディアは、上記メディアの再生領域を移動して変更できるようにする基準軸として、上記メディアの再生可能な領域である再生可能領域を定義する再生基準軸を１以上含むメディアであり、
上記段階［ｂ］は、上記再生基準軸の方向に対応する上記端末機の動きを探知し、上記端末機の動きによって上記メディアの再生領域を移動して変更し、上記再生領域のメディアを再生する段階であることを特徴とすることができる。
【００１５】
より望ましくは、上記第２受信領域は、上記端末機のメモリ情報を基盤にして設定され、上記再生領域を含むように設定されることを特徴とすることができる。
【００１６】
より望ましくは、上記メディアは、３次元の立体情報を有するメディアであり、上記再生基準軸は、ｘ軸上の移動方向基準のｘ軸、ｙ軸上の移動方向基準のｙ軸及びｚ軸上の移動方向基準のｚ軸を含むことを特徴とすることができる。
【００１７】
より望ましくは、上記メディアは、２次元の立体情報を有するメディアであり、上記再生基準軸は、ｘ軸上の移動方向基準のｘ軸、ｙ軸上の移動方向基準のｙ軸、及び上記メディアの拡大再生の比率を示すｚ軸を含むことを特徴とすることができる。
【００１８】
上記目的を達成するための本発明の第２観点による端末機の動きによってメディアを再生するシステムは、動きセンサを備えた端末機が、サーバに保存された再生可能なメディアを受信し、上記端末機の動きによってメディアを再生するシステムにおいて、上記サーバは、上記端末機の第１受信領域転送要請を受け、上記メディアの一部分の領域を第１受信領域と設定して上記端末機に転送し、上記端末機は、上記サーバから上記第１受信領域を受信し、上記メディアの再生領域を上記端末機の動きによって変更して上記再生領域に該当するメディアを再生し、上記再生領域が上記メディアの第１受信領域の外であれば、上記再生領域を含むメディアの一部分である第２受信領域を上記サーバから受信して、上記メディアを再生することを特徴とする。
【００１９】
望ましくは、上記サーバは、上記端末機のメモリ情報を基に上記第１受信領域を設定し、上記第１受信領域を上記端末機に送信することを特徴とすることができる。
【００２０】
また、上記メディアの再生が上記端末機で初めて行われる場合は、使用者設定値に従って上記メディアの所定位置を基盤に第１受信領域を設定することができる。さらに、上記メディアの再生が、上記端末機で再生された履歴のある場合ならば、上記使用者設定値又は上記メディアの上記端末機での最近再生履歴を基盤に第１受信領域を設定することができる。即ち、上記端末機が最近再生した上記メディアの領域情報である最近再生領域位置情報を、上記端末機が上記サーバに転送し、上記サーバは上記最近再生領域を含むように第１受信領域を設定することができる。
【００２１】
より望ましくは、上記第２受信領域は、上記端末機のメモリ情報を基盤にして設定され、上記再生領域を含むように設定されることを特徴とすることができる。
【００２２】
より望ましくは、上記メディアは、上記メディアの再生領域を移動して変更できるようにする基準軸として、メディアの再生可能な領域である再生可能領域を定義する再生基準軸を１以上含むメディアであり、上記端末機は、上記再生基準軸の方向に対応する上記端末機の動きを探知し、上記端末機の動きによって上記メディアの再生領域を移動して変更し、上記メディアを再生することを特徴とすることができる。
【００２３】
より望ましくは、上記メディアは、３次元の立体情報を有するメディアであり、上記再生基準軸は、ｘ軸上の移動方向基準のｘ軸、ｙ軸上の移動方向基準のｙ軸及びｚ軸上の移動方向基準のｚ軸を含むことを特徴とすることができる。
【００２４】
より望ましくは、上記メディアは、２次元の立体情報を有するメディアであり、上記再生基準軸は、ｘ軸上の移動方向基準のｘ軸、ｙ軸上の移動方向基準のｙ軸及び上記メディアの拡大再生の比率を示すｚ軸を含むことを特徴とすることができる。
【００２５】
より望ましくは、上記端末機は、使用者の入力を受ける使用者入力部；上記端末機の動きを探知する動作感知部；上記再生領域に該当するメディアを再生する再生部；上記入力された使用者入力及び上記探知された端末機の動きを基盤にして上記メディアの再生領域を移動して変更し、上記再生領域に該当する上記メディアを上記再生部に再生させる制御部；上記受信領域を保存する保存部；及び、上記サーバに上記受信領域転送要請を送信し、上記サーバより受信領域のメディアを受信する通信部；を含むことを特徴とすることができる。
【００２６】
より望ましくは、上記サーバは、上記メディアを保存しているメディアデータベース部；上記端末機の上記受信領域転送要請に対応して、上記メディアデータベース部のメディアから受信領域を設定する受信領域設定部；及び、上記端末機の第１受信領域又は第２受信領域転送要請を受信し、上記設定された受信領域を上記端末機に転送する通信部；を含むことを特徴とすることができる。
【００２７】
上記目的を達成するための本発明の第３観点による再生可能なメディアを動きセンサを備えた端末機に転送するサーバは、再生可能なメディアを保存し、上記メディアを動きセンサを備えた端末機に転送するサーバにおいて、上記端末機の第１受信領域転送要請を受け、上記端末機のメモリ情報を基盤に上記メディアの一部領域を第１受信領域と設定して上記端末機に送信し、上記端末機の第２受信領域転送要請を受け、上記端末機の上記メディアの再生領域情報及び上記端末機のメモリ情報を基盤に上記メディアの一部分を第２受信領域と設定して上記端末機に送信することを特徴とする。
【００２８】
望ましくは、上記メディアは、上記メディアの再生領域を移動して変更できるようにする基準軸として、メディアの再生可能な領域である再生可能領域を定義する再生基準軸を１以上含むメディアであることを特徴とすることができる。
【００２９】
より望ましくは、上記メディアは、３次元の立体情報を有するメディアであり、上記再生基準軸は、ｘ軸上の移動方向基準のｘ軸、ｙ軸上の移動方向基準のｙ軸、及びｚ軸上の移動方向基準のｚ軸を含むことを特徴とすることができる。
【００３０】
より望ましくは、上記メディアは、２次元の立体情報を有するメディアであり、上記再生基準軸は、ｘ軸上の移動方向基準のｘ軸、ｙ軸上の移動方向基準のｙ軸、及び上記メディアの拡大再生の比率を示すｚ軸を含むことを特徴とすることができる。
【００３１】
より望ましくは、上記サーバは、上記メディアを保存しているメディアデータベース部；上記端末機の上記受信領域転送要請に対応して、上記端末機のメモリ情報を基盤に上記受信領域を設定する設定部；及び、上記端末機から受信領域転送要請及び上記端末機のメモリ情報を受信し、上記受信領域を上記端末機に転送する通信部；を含むことを特徴とすることができる。
【発明の効果】
【００３２】
本発明によれば、端末機の再生部の再生可能なサイズよりも大きい再生領域を有するメディアがサーバに保存されている場合の再生において、より経済的且つ迅速に上記再生領域に該当するメディアを再生することができる効果がある。
【００３３】
即ち、再生の対象となるメディアがサーバに保存されている場合、端末機は、上記メディア全部の転送を受ける必要がなく、まずは一部だけの転送を受け、その後、他の部分の転送が必要であるかを判断した後に他の部分の転送を受けることを特徴としていることから、サーバと端末機との間の通信負担を減らし、通信チャンネル容量を節約することができる効果がある。
【図面の簡単な説明】
【００３４】
【図１】本発明による端末機の動きによってメディアを再生する方法の順序図である。
【図２】２次元メディアにおける第１受信領域及び第２受信領域を示したもので、各受信領域内で再生領域が変動することを示す図である。
【図３】端末機の位置移動に応じて再生領域が変更され再生されることを示す図である。
【図４】平面イメージにおける垂直軸上の端末機の移動によるイメージの拡大再生を示す図である。
【図５】本発明による端末機の動きによってメディアを再生するシステムの構成図である。
【発明を実施するための形態】
【００３５】
以下、添付図面を参照しながら、本発明の具体的な実施例を説明する。
本発明のメディアは、３次元の再生情報を有するメディア又は２次元の再生情報を有するメディアなどを含む。即ち、上記メディアの再生領域が実際の端末機の再生部で再生される領域よりも大きい場合において、直交座標系のＸ、Ｙ及びＺ軸上に再生領域を移動し得るメディアを含む。２次元の再生情報を有するメディアは、再生領域のＺ軸への移動が不可能である。その代わりに、上記Ｚ軸情報は、２次元の平面に対する垂直軸であるＺ軸の何れか一点から上記２次元の平面を鳥瞰する情報となり、かかる情報は、２次元の平面情報の拡大情報又は解像度情報として活用することができる。即ち、イメージ平面との距離が近ければ拡大され、距離が遠ければ縮小される。
【００３６】
図１は、本発明による端末機の動きによってメディアを再生する方法の具体的な順序図である。
【００３７】
図２は、本発明による２次元の平面イメージを有するメディアを示している。本発明の一実施例による再生可能なメディア５００は、２次元の画像を有するメディアである。
【００３８】
図３は、本発明による動きセンサを有する端末機の動きによって画面再生領域が変更されることを示している。
【００３９】
上記のメディア再生のための端末機１００は、サーバ２００に第１受信領域の送信要請を行う。即ち、上記端末機１００は、同端末機のメディア再生に使われる端末機メモリ容量と共に上記第１受信領域の送信要請を上記サーバに転送する（Ｓ１０１）。このとき、第１受信領域の設定のために、最初再生領域の位置情報も一緒に転送することができる。
【００４０】
上記サーバ２００は、上記メモリ容量情報を基盤に上記メディアの一部を特定して、第１受信領域を設定する。即ち、所定のメディアの全体領域５００において、上記端末機のメモリ容量の制限範囲内でメディアの一部領域を特定して、第１受信領域と設定する。図２の第１受信領域５１０がその例である。即ち、端末機は、再生可能なサイズを越えるメディアの場合は、端末機のメモリ容量の許容限度内で第１受信領域のみをまず受信する。また、端末機より最初再生領域の位置情報が伝達されてきた場合は、上記再生領域を含むように上記第１受信領域を設定するのが望ましい。もし、端末機より最初再生領域の位置情報が送信されてこない場合は、メモリ容量の許容限度内でメディアの中央部分を任意に設定することが望ましい。
【００４１】
一方、上記メディアの再生が上記端末機で初めて行われる場合は、使用者設定値によって上記メディアの所定位置を基盤に第１受信領域を設定することができる。さらに、上記メディアの再生が、上記端末機で再生された履歴のある場合ならば、上記使用者設定値又は上記メディアの上記端末機での最近再生履歴を基盤にして第１受信領域を設定することができる。即ち、上記端末機が最近再生した上記メディアの領域情報である最近再生領域位置情報を、上記端末機が上記サーバに転送し、上記サーバは上記最近再生領域を含むように第１受信領域を設定することも望ましい。
【００４２】
上記第１受信領域を上記端末機が受信すれば（Ｓ１０３）、上記端末機の動きセンサを利用して上記第１受信領域の範囲内で再生を行うようになる。即ち、図２の第１受信領域５１０の範囲内の再生領域５１１を再生する途中で端末機の動きを探知し、上記端末機の動きに対応する方向に上記再生領域５１１を変更する。即ち、上記端末機が図３の端末機のそれぞれの動きのように、識別番号５１１−１の位置から５１２−１、５１３−１を経て５１４−１の位置へ移動する場合、上記図２の再生領域も、識別番号５１１の位置から５１２、５１３を経て５１４の位置に変更される。端末機の５１１−１から５１２−１への移動に従って、上記再生領域が５１１から５１２へと変更される場合でも、既に上記端末機は、第１受信領域５１０を受信した状態であるため、サーバにメディアの送信を新たに要請しなくてもよい。既に受信済みの第１受信領域のメディアから上記再生領域５１２を再生すればよい。
【００４３】
一方、端末機が５１２−１の位置から５１２−３の位置に変更される場合には、上記端末機は、上記のような動きを探知して上記再生領域を５１２から５１３へと移す。しかし、再生領域５１３は上記第１受信領域のメディアに含まれていない。従って、現在保存している再生対象である第１受信領域からは上記再生領域５１３を直ちに再生することができない。従って、端末機は、直ちに上記サーバに第２受信領域の転送を要請することになる。このとき、端末機は、現在再生するべき再生領域５１３の位置情報及び端末機の余裕メモリ容量を共に転送して、上記サーバがより適切な第２受信領域を設定できるようにする。
【００４４】
即ち、第１受信領域を受信した端末機は、再生領域を変更しながら再生するが、上記再生領域が上記第１受信領域の内部であるかを判断し（Ｓ１０５）、上記再生領域が上記第１受信領域の内部の場合はそのまま再生を行い、第１受信領域の外部の場合は新しい第２受信領域の転送を上記サーバに要請する（Ｓ１０６）。
【００４５】
サーバは、上記新たな再生領域の位置情報及び上記端末機の余裕メモリ容量の転送を受けて第２受信領域を設定し（Ｓ１０７）、第２受信領域に該当するメディアを上記端末機に転送する（Ｓ１０８）。
【００４６】
即ち、図２及び図３を参照しながら再び説明すれば、５１２−１から５１３−１への端末機の位置移動に対応して、上記端末機にて再生される再生領域は５１２から５１３へと位置移動し、この場合、第１受信領域の内部５１０に上記再生領域５１３が含まれていないため、サーバは上記端末機のメモリ情報による余裕メモリ容量の限度内で上記再生領域５１３が含まれるように第２受信領域を設定し、上記第２受信領域のメディアを上記端末機に転送する。
【００４７】
以後、上記端末機は、第２受信領域を受信した後、端末機の動き（５１３−１から５１４−１に）に従い上記再生領域を変更（５１３から５１４に）して再生する。この場合、既に受信した受信領域内に再生領域が継続して含まれているので、新たな受信領域のメディアをさらに受信する必要がなく、直ちに再生することができる。
【００４８】
３次元メディアの場合は、ｘ軸、ｙ軸、ｚ軸の三方向への端末機の移動が可能なため、再生領域も三方向に変更することができる。ｘｙ平面上の２次元メディアの場合は、ｚ軸をイメージ拡大の指数の軸として設定し、イメージの拡大又は解像度の調節に利用することができる。
【００４９】
図４は、ｚ軸に沿ったｚ軸方向への動きがある場合、ｘｙ平面上のイメージが拡大又は縮小される一実施例を示している。
【００５０】
即ち、ｚ軸上における位置が２の場合は、ｘｙ平面との距離が２となり、この場合、所定の拡大されたイメージが再生領域５５４として設定され、イメージ領域５５３が再生される。このとき、端末機が上に移動して３に位置する場合には、ｘｙ平面との距離が３に増え、再生領域はより広く設定され（再生領域５５２）、より広いイメージ領域５５１が見えることになるので、イメージは相対的に縮小して見える。逆に、端末機が下に移動してｚ軸上での位置が１の場合は、ｘｙ平面との距離が１となり、再生領域が狭く形成され（再生領域５５６）、より狭いイメージ領域５５５だけが見えるようになって、イメージの拡大再生が可能となる。
【００５１】
図５は、本発明による端末機の動きによってメディアを再生するシステムを示している。図５は、動きセンサを備える端末機１００及びサーバ２００を含む。
【００５２】
上記端末機１００は、使用者入力部１１０、動きセンサを含む動作感知部１２０、制御部１３０、再生部１５０、保存部１４０及び通信部１６０を含む。
【００５３】
上記端末機１００は、第１受信領域転送要請及び上記端末機の保存部のメモリ余裕容量を上記サーバに送信して受信した第１受信領域のメディアを、上記保存部に保存する。
【００５４】
上記制御部は、上記使用者入力部又は上記動きセンサを含む動作感知部を通して入力される位置移動情報入力によって、第１受信領域に含まれる再生領域を変更し、上記再生領域に該当するメディアを上記再生部を通して再生する。第１受信領域に上記再生領域が含まれていない場合は、上記サーバに新たな第２受信領域の転送を要請する。
【００５５】
サーバ２００は、再生可能なメディアを保存しているメディアデータベース部２１０、受信領域を設定する受信領域設定部２２０、受信領域の転送及び受信領域転送要請などの受信を行う通信部２３０を含む。
【００５６】
サーバの受信領域設定部２２０は、第１受信領域転送要請又は第２受信領域転送要請を受信すれば、メディアデータベース部のメディアから上記端末機の保存部のメモリ余裕容量の限度内で第１又は第２受信領域を設定し、該当領域のメディアを通信部２３０を通して上記端末機に転送する。
【００５７】
一方、端末機は、第１受信領域の要請と共に、再生しようとする再生領域の位置情報及びメモリ情報をサーバに転送し、上記サーバの受信領域設定部は、上記再生領域を含むように、且つ上記端末機のメモリ余裕容量の制限範囲以下の容量となるように、第１受信領域を設定する。もし、端末機からの再生領域の位置情報がない場合は、デフォルトとして中央の位置を基準に第１受信領域が設定されるようにするのが望ましい。
【産業上の利用可能性】
【００５８】
本発明は、動きセンサを備えた端末機がサーバに保存された再生可能なメディアを受信して再生する方法において、［ａ］上記サーバが上記メディアの一部分である第１受信領域を設定して上記端末機に送信する段階；［ｂ］上記端末機の動きによって上記メディアの再生領域を変更して上記メディアの一部を再生する段階；及び、［ｃ］上記再生領域が上記メディアの第１受信領域の外であれば、上記再生領域を含む上記メディアの一部分である第２受信領域を上記端末機が上記サーバから受信して、上記メディアを再生する段階；を含むことを特徴としている。
【００５９】
従って、端末機の再生部の再生可能なサイズよりも大きい再生領域を有するメディアがサーバに保存されている場合の再生において、より経済的且つ迅速に上記再生領域に該当するメディアを再生することができる効果がある。即ち、再生対象のメディアがサーバに保存されている場合、端末機は、上記メディア全体の転送を受ける必要が無く、まず一部のみの転送を受け、後に、他の部分の転送を受ける必要があると判断されたときに、他の部分の転送を受けることを特徴としていることから、サーバと端末機との間の通信負担を軽減し、通信チャンネル容量を節約することができる効果がある。
【００６０】
つまり、本発明は、通信サービス産業分野において有用かつ実用的な発明であるため、産業上の利用可能性がある。
【図１】
0005400055.tif 000002
【図２】
0005400055.tif 000003
【図３】
0005400055.tif 000004
【図４】
0005400055.tif 000005
【図５】
0005400055.tif 000006